(57)【要約】【課題】家紋を任意の位置に配置したフェイスカバーを提供する。【解決手段】フェイスカバーは、装着するユーザの顔面に対向する内側面と当該内側面の反対側の外側面を含む本体部と、本体部の両端部に設けられる一対の支持紐体と、外側面の所定の位置に配置される、所定の家紋のデザインを有する家紋部と、を備える。【選択図】  図１
0003228463.tif 000002
【実用新案登録請求の範囲】
【請求項１】
装着するユーザの顔面に対向する内側面と当該内側面の反対側の外側面を含む本体部と、
前記本体部の両端部に設けられる一対の支持紐体と、
前記外側面の所定の位置に配置される、所定の家紋のデザインを有する家紋部と、
を備える、フェイスカバー。
【請求項２】
前記家紋部は、前記外側面に着脱可能に設けられる、請求項１に記載のフェイスカバー。
【請求項３】
前記外側面を含む外側部材と前記内側面を含む内側部材とにより上部が開口する第１ポケット部が形成され、
前記内側部材は、所定の中央領域と、当該所定の中央領域から各外側端部に向けて一対の第２ポケット部とを有する、請求項２に記載のフェイスカバー。
【請求項４】
前記外側部材は、上端部の長手方向に沿って配置される形状保持部材を有する、請求項３に記載のフェイスカバー。
【請求項５】
前記第１ポケット部の内部に、当該第１ポケット部の開口の少なくとも一部を留める留め部材が配置される、請求項３又は４に記載のフェイスカバー。
【考案の詳細な説明】
【技術分野】
【０００１】
本考案は、フェイスカバーに関する。
【背景技術】
【０００２】
一般的に、ウイルス、花粉及び埃等の有害物質が体内に侵入することを防止するために、主に、鼻及び口を保護するマスク又はフェイスカバー等がある。
【０００３】
また、マスク本体の上部に冷却ジェルシートを装着して、鼻及び目の下の部分を冷却する気密性が高く鼻炎等の炎症を抑えるマスクが開示されている（例えば、特許文献１参照）。具体的には、特許文献１に開示されているマスクは、有害物質のマスク内への侵入を軽減すると同時に、鼻及び目の下の部分を冷却ジェルによって冷却するため、くしゃみ及び鼻水等によって引き起こされる炎症を和らげる、又は発生を抑えることができる。
【先行技術文献】
【特許文献】
【０００４】
【特許文献１】特開２０１６−２２３０４９号公報
【考案の概要】
【考案が解決しようとする課題】
【０００５】
ところで、近年、ウイルス対策などにより、マスク又はフェイスカバー等（以下、「フェイスカバー」という。）を装着することが一般的になっており、また、特別な場合にでもフェイスカバーを装着することが想定される。例えば、今後、結婚式等においても、フェイスカバーを装着することが考えられるが、現状、結婚式等に用いられるフェイスカバーはあまり検討されていない。
【０００６】
それ故に、本考案は、上記のような課題に鑑みてなされたものであって、本考案の目的の１つは、家紋を任意の位置に配置したフェイスカバーを提供することである。
【課題を解決するための手段】
【０００７】
上記目的を達成するために、本考案の一態様に係るフェイスカバーは、装着するユーザの顔面に対向する内側面と当該内側面の反対側の外側面を含む本体部と、前記本体部の両端部に設けられる一対の支持紐体と、前記外側面の所定の位置に配置される、所定の家紋のデザインを有する家紋部と、を備える。
【考案の効果】
【０００８】
以上のように、本考案によれば、家紋を任意の位置に配置したフェイスカバーを提供することができる。
【図面の簡単な説明】
【０００９】
【図１】本考案の実施形態に係るフェイスカバー１００を外側面側から見た斜視図である。
【図２】本考案の実施形態に係るフェイスカバー１００を内側面側から見た斜視図である。
【考案を実施するための形態】
【００１０】
以下、本考案の各実施形態について、添付図面を参照しながら具体的に説明する。なお、以下で説明する実施形態は、あくまで、本考案を実施するための具体的な一例を挙げるものであって、本考案を限定的に解釈させるものではない。
【００１１】
＜実施形態＞
図１は、本考案の実施形態に係るフェイスカバー（FACE COVER）１００を外側面側から見た斜視図であり、図２は、本考案の実施形態に係るフェイスカバー１００を内側面側から見た斜視図である。図１及び図２に示すように、フェイスカバー１００は、外側部材１１０と、一対の支持紐体１２０と、内側部材１３０とを備える。以下、外側部材１１０と内側部材１３０とをまとめて本体部と称する。
【００１２】
フェイスカバー１００は、典型的には、ウイルス、花粉及び埃等の有害物質が体内に侵入することを防止するために、鼻及び口を覆うように装着するマスク等を含むものである。
【００１３】
外側部材１１０は、当該フェイスカバー１００を装着するユーザの顔に対向する内側面と反対側である外側面に配置される。外側部材１１０は、装着するユーザの少なくとも鼻、口及び頬を覆うような形状であり、典型的には、両頬を含めて顔の下半分程度（目の下又は鼻背辺りから口の下又は顎の辺りまで）を覆うような形状である。
【００１４】
外側部材１１０は、例えば、布、不織布、又はスポーツウェア及び水着等に用いられる素材で形成されており、具体例としては、ポリエステル及びポリウレタン等が用いられる。本実施形態では、外側部材１１０は、ポリエステル９０％及びポリウレタン１０％で構成される素材で形成されてもよく、伸縮性、吸水性及び速乾性に優れており、紫外線カット、消臭及び抗菌効果も有している。
【００１５】
家紋部１１２は、フェイスカバー１００の本体部の外側面の所定の位置に配置される、所定の家紋のデザインを有する部である。家紋部１１２は、外側部材１１０の表面にプリント等で配置されてもよいし、所定の生地で形成され、所定の家紋が生地表面にデザインされ（プリント、縫い付け等され）、この所定の生地が外側部材１１０に縫い付けられたり、面ファスナーなどを用いて着脱可能に取り付けられたりしてもよい。図１に示す例では、家紋部１１２は、フェイスカバー１００の左上の位置に配置されているが、右上の位置などでもよく、予め決められた位置に配置されればよい。また、家紋部１１２のサイズ及び形状は、コインほどの大きさで丸である必要はなく、ファイスカバー１００の半分ほどを覆うサイズや、多角形などの形状でもよく、ユーザの好みに合わせて選択されてもよい。
【００１６】
これにより、結婚式等の家紋が使用される場面において、ユーザは家紋入りのフェイスカバーを装着することができ、デザイン性に優れた家系独自のフェイスカバーを使用することができる。また、所定の家紋を有する家紋部を着脱可能にすることにより、結婚式場、葬式場などでは、フェイスカバー本体を有し、家紋部だけをユーザに合わせて作成すればよく、フェイスカバー本体の再利用が可能になる。
【００１７】
一対の支持紐体１２０は、本体部に含まれる外側部材１１０又は内側部材１３０の左右の両端部に設けられる。一対の支持紐体１２０がユーザの耳に引っ掛けられることによって、装着者であるユーザは、フェイスカバー１００を安定して装着することが可能になる。一対の支持紐体１２０は、特殊な繊維（例えば、ナノファイバー構造等）で構成されてもよく、この場合は消臭及び抗菌効果を有している。また、一対の支持紐体１２０に平たい形状のゴム紐を適用すれば、長時間、当該フェイスカバー１００を装着していたとしても、ユーザの耳への負担が軽減される。
【００１８】
また、外側部材１１０は、上端部の長手方向に沿って配置される形状保持部材１４０を含む。例えば、形状保持部材１４０は、フェイスカバー１００を装着するユーザの鼻背（鼻筋）に略直交するように配置されてもよい。形状保持部材１４０は、略平行に２又は３本の布製のドレス用ワイヤーテープを外側部材１１０に縫い付けられることによって構成されてもよく、さらに、ポリエステル製のテープで覆うことによって補強されても構わない。
【００１９】
また、フェイスカバー１００の本体部における外側面を含む外側部材１１０と、内側面を含む内側部材１３０とにより、上部が開口する第１ポケット部１５０が形成される。例えば、外側部材１１０と内側部材１３０とを重ね合わせ、両サイドの縁部、下部の縁部を縫い付けることで、上部が開口した第１ポケット部１５０を形成することができる。第１ポケット部１５０には、フィルター２０が挿入されてもよい。
【００２０】
一般的に、フィルター２０は、ウイルス、花粉及び埃等の有害物質の侵入を防ぐ機能を発揮するが、フェイスカバー１００を使用し続けると、フィルター２０には、有害物質が付着するため、フィルター２０の性能が低下する可能性がある。
【００２１】
したがって、第１ポケット部１５０を備えることによって、性能が低下したと思われるフィルター２０を新たなフィルター２０に交換し、フィルター２０の本来の機能を発揮できるようにしている。第１ポケット部１５０に新たなフィルター２０を格納すれば、衛生面において新品同様の安全性が確保できる。
【００２２】
さらに、フィルター２０には、例えば、Ｎ９５フィルター（米国労働安全衛生研究所のＮ９５規格の基準をクリアする性能を有するもの）を用いても構わない。Ｎ９５フィルターは、洗濯しても性能の劣化が小さいため、例えば、１週間程度等、繰り返し使用することができ、衛生面を確保しつつ、さらに経済的及び環境的に優れている。
【００２３】
さらに、第１ポケット部１５０は、ユーザの汗及び冷却部材１０によって濡れる場合があったとしても、前述したように、ポリエステル及びポリウレタンを含む素材で構成されており、吸水性及び速乾性に優れている。このため、第１ポケット部１５０に格納されているフィルター２０が濡れて、性能を劣化させる可能性を軽減することができる。
【００２４】
第１ポケット部１５０の内部に、第１ポケット部１５０の開口の少なくとも一部を留める留め部材が配置されてもよい。また、この留め部材は、各支持紐体側にそれぞれ配置されてもよい。
【００２５】
本実施形態では、留め部材として面ファスナーを採用してもよい。面ファスナーのオス（又はメス）は、ポケット部１５０の内部であって、外側部材１１０の内側部材１３０側の上端部に配置されてもよい。そして、それに対応するように、面ファスナーのメス（又はオス）は、内側部材１３０の外側部材１１０側に配置されてもよい。また、面ファスナーの一部を用いてフィルター２０が止められてもよい。
【００２６】
さらに、面ファスナーは、簡易な構成で、容易にポケット部の開口を留める及び外すことができ、前述したように、ポリエステル及びポリウレタン等で構成される素材で形成されるフェイスカバー１００に取り付け易い。さらに、布製であるため金属製に比べて柔らかく、フェイスカバー１００を装着するユーザに違和感及び不快感を与えない。
【００２７】
なお、ここでは、留め部材として、面ファスナーを採用したが、これに限定されるものではない。例えば、テープ、フック、ボタン及びホック等を採用することも可能であり、より簡易な構成が求められる場合等、コスト、使用形態及びユーザの嗜好に応じて適宜選択すればよい。なお、上述した留め部材は、家紋部１１２を、外側部材１１０に着脱可能に取り付ける際に用いられるものと同じでものでもよい。
【００２８】
内側部材１３０は、フェイスカバー１００を装着するユーザの顔に対向する内側面に配置される。内側部材１３０は、概ね外側部材１１０と同様の形状であって、顔の下半分程度を覆うような形状である。内側部材１３０の素材は、外側部材１１０の素材と同様でもよく、また、異なる素材であってもよい。
【００２９】
内側部材１３０は、所定の中央領域１３２と、所定の中央領域１３２から各外側端部に向けて一対の第２ポケット部１５２Ａ、１５２Ｂとを有してもよい。一対の第２ポケット部１５２Ａ、１５２Ｂには、冷却部材（又は保温部材）１０が格納される。
【００３０】
また、冷却部材１０を格納する第２ポケット部１５２Ａ、１５２Ｂと、フィルター２０を格納する第１ポケット部１５０とを分けていることにより、冷却部材１０及びフィルター２０を取り替えるタイミングについて、それぞれ独立して判断することができる。
【００３１】
また、冷却部材１０及びフィルター２０を取り出した状態のフェイスカバー１００は、洗濯して繰り返し使用することができ、さらに、第１ポケット部１５０に新たなフィルター２０を格納すれば、衛生面において新品同様の安全性が確保できる。
【００３２】
次に、フェイスカバー１００における冷却部材１０とフィルター２０との格納位置について詳しく説明する。
【００３３】
図２に示すように、冷却部材１０は、ポケット部１５２Ａ、１５２Ｂの中心の領域１３２から左右それぞれのサイド領域に格納されており、フィルター２０は、第１ポケット部１５０の中央領域を少なくとも含む位置に格納されている。
【００３４】
換言すると、フェイスカバー１００を装着するユーザにとって、左右両頬に対応する位置には、それぞれ冷却部材１０が配置され、鼻及び口に対応する位置には、フィルター２０が配置されていることになる。冷却部材１０それぞれは、鼻及び口に対応する位置には配置されておらず、フェイスカバー１００を装着するユーザにとって、呼吸を妨げないように配置されている。
【００３５】
したがって、ユーザがフェイスカバー１００を装着する際に、ユーザの鼻及び口に対向する位置にフィルター２０が配置されるものの、冷却部材１０によって塞がれることがなく、ユーザにとっては呼吸がし易く、話しやすく、かつ冷却部材１０から冷感を得ることができる。
【００３６】
以上、本考案の実施形態に係るフェイスカバー１００によれば、家紋を任意の位置に配置したフェイスカバーを提供することができる。また、フェイスカバー１００は、第１ポケット部１５０にフィルター２０を格納可能であり、第２ポケット部１５２Ａ、１５２Ｂに冷却部材（又は保温部材）１０を格納可能であり、機能面にも優れた家紋入りのフェイスカバーを提供することができる。
【００３７】
以上説明した実施形態は、本考案の理解を容易にするためのものであり、本考案を限定して解釈するためのものではない。実施形態が備える各要素並びにその配置、材料、条件、形状及びサイズ等は、例示したものに限定されるわけではなく適宜変更することができる。なお、フェイスカバーの外側部材１１０及び内側部材１３０は、一体成形されてもよく、第１ポケット１５０及び／又は第２ポケット１５２Ａ、１５２Ｂは、フェイスカバー１００に必ずしも設けられなくてもよい。
【符号の説明】
【００３８】
１０…冷却部材、２０…フィルター、１００…フェイスカバー、１１０…外側部材、１１２…家紋部、１２０…支持紐体、１３０…内側部材、１４０…形状保持部材、１５０…第１ポケット部、１５２Ａ，１５２Ｂ…第２ポケット部
【図１】
0003228463.tif 000003
【図２】
0003228463.tif 000004